(57)【要約】      （修正有）【課題】容易に装着することが可能なシートベルト着脱装置を提供する。【解決手段】タングプレート２、及び／又は、シートベルト用バックル１に磁石を備え、タングプレート２をシートベルト用バックル１に吸着して係合するシートベルト着脱装置であって、タングプレート２におけるシートベルト用バックル１に係合する側の先端部２１１が凸形状を有し、シートベルト用バックル１におけるタングプレート２を挿入するプレート挿入部１１が略錐体形状の凹部１１１を有し、タングプレート２をシートベルト用バックル１のプレート挿入部１１に挿入することにより、タングプレート２をシートベルト用バックル１に係合することで、シートベルトを容易に装着可能にした。【選択図】図１
0003217465.tif 000002
【実用新案登録請求の範囲】
【請求項１】
タングプレート、及び／又は、シートベルト用バックルに磁石を備え、前記タングプレートを前記シートベルト用バックルに吸着して係合するシートベルト着脱装置であって、
前記タングプレートにおける前記シートベルト用バックルに係合する側の先端部が凸形状を有し、
前記シートベルト用バックルにおける前記タングプレートを挿入するプレート挿入口が略錐体形状の凹部を有し、
前記タングプレートを前記シートベルト用バックルの前記プレート挿入口に挿入することにより、前記タングプレートを前記シートベルト用バックルに係合する
ことを特徴とするシートベルト着脱装置。
【請求項２】
前記タングプレートが磁石からなることを特徴とする請求項１記載のシートベルト着脱装置。
【請求項３】
前記タングプレートに防磁カバーを着脱可能に備えたことを特徴とする請求項２記載のシートベルト着脱装置。
【請求項４】
前記凹部が磁石からなる、及び／又は、前記シートベルト用バックル内に磁石が配設されたことを特徴とする請求項１〜３のいずれかに記載のシートベルト着脱装置。
【請求項５】
タングプレートをシートベルト用バックルに係合するシートベルト着脱装置であって、
前記タングプレートにおける前記シートベルト用バックルに係合する側の先端部が凸形状を有し、
前記シートベルト用バックルにおける前記タングプレートを挿入するプレート挿入口が略錐体形状の凹部を有し、
前記タングプレートを前記シートベルト用バックルの前記プレート挿入口に挿入することにより、前記タングプレートを前記シートベルト用バックルに係合する
ことを特徴とするシートベルト着脱装置。
【考案の詳細な説明】
【技術分野】
【０００１】
本考案は、容易に装着することが可能なシートベルト着脱装置に関する。
【背景技術】
【０００２】
平成２０年施行の改正道路交通法により、運転席と助手席のみならず、後部座席のシートベルトの着用も義務化され、全座席についてシートベルトを着用することが義務となった。
シートベルトを着用するためには、一般に、一方の手でシートベルト用バックルを保持し、もう一方の手でタングプレートを掴んだ状態で、タングプレートをシートベルト用バックルのプレート挿入口へ挿入することが必要である。
ところが、高齢者や手が不自由な人などにとっては、タングプレートをプレート挿入口に入れることが難しく、装着に手間取ることが多くあった。
【０００３】
【特許文献１】実開昭６１−１７２５１２号公報
【特許文献２】実用新案登録第３１４５４１７号公報
【考案の開示】
【考案が解決しようとする課題】
【０００４】
このような問題を解決するための技術として、特許文献１に記載の自動車シートベルト結合器の磁石付案合板や、特許文献２に記載のタングプレート誘導具を挙げることができる。
特許文献１に記載の磁石付案合板によれば、磁石によって雄金具を雌金具に吸着して、結合を容易にすることができるとされている。
また、特許文献２に記載の誘導具によれば、タングプレートをシートベルト用バックルに容易に係合できるとされている。
【０００５】
これらの装置によれば、タングプレートをシートベルト用バックルに接触させて、結合することが容易になると考えられる。
しかしながら、それでもなお、タングプレートをシートベルト用バックルに結合させることが、高齢者などには容易にできない場合があるため、さらに装着のし易いシートベルト着脱装置の提案が望まれていた。
【０００６】
そこで、本考案者は、鋭意検討して、タングプレート、及び／又は、シートベルト用バックルに磁石を備えると共に、タングプレートとシートベルト用バックルを、特殊な形状にすることにより、これらをさらに容易に結合させることが可能になることに想到して、本考案を完成させた。
【０００７】
本考案は、上記の事情に鑑みてなされたものであり、容易に装着することが可能なシートベルト着脱装置の提供を目的とする。
【課題を解決するための手段】
【０００８】
上記目的を達成するため、本考案のシートベルト着脱装置は、タングプレート、及び／又は、シートベルト用バックルに磁石を備え、前記タングプレートを前記シートベルト用バックルに吸着して係合するシートベルト着脱装置であって、前記タングプレートにおける前記シートベルト用バックルに係合する側の先端部が凸形状を有し、前記シートベルト用バックルにおける前記タングプレートを挿入するプレート挿入口が略円錐形状の凹部を有し、前記タングプレートを前記シートベルト用バックルの前記プレート挿入口に挿入することにより、前記タングプレートを前記シートベルト用バックルに係合する構成としてある。
【０００９】
なお、本明細書において、「磁石を備え」とは、タングプレート、及び／又は、シートベルト用バックルを、磁石からなるものとすることを含む。勿論、タングプレート、及び／又は、シートベルト用バックルに磁石を接着又は固定することなどにより備えることも含まれる。
【００１０】
また、本考案のシートベルト着脱装置を、タングプレートをシートベルト用バックルに係合するシートベルト着脱装置であって、前記タングプレートにおける前記シートベルト用バックルに係合する側の先端部が凸形状を有し、前記シートベルト用バックルにおける前記タングプレートを挿入するプレート挿入口が略円錐形状の凹部を有し、前記タングプレートを前記シートベルト用バックルの前記プレート挿入口に挿入することにより、前記タングプレートを前記シートベルト用バックルに係合する構成としてもよい。
【考案の効果】
【００１１】
本考案によれば、容易に装着することが可能なシートベルト着脱装置を提供することができる。
【図面の簡単な説明】
【００１２】
【図１】本考案の一実施形態に係るシートベルト着脱装置の概略斜視図である。
【図２】本考案の一実施形態に係るシートベルト着脱装置におけるシートベルト用バックルの図１のＡ−Ａ線の概略断面図、及び同装置におけるタングプレートの概略側面図である。
【図３】本考案の一実施形態に係るシートベルト着脱装置におけるシートベルト用バックルの概略正面図である。
【図４】本考案の一実施形態に係るシートベルト着脱装置の応用例のシートベルト用バックルの概略断面図である。
【図５】本考案の一実施形態に係るシートベルト着脱装置の他の応用例のタングプレートの概略斜視図である。
【考案を実施するための形態】
【００１３】
以下、本考案のシートベルト着脱装置の実施形態について図面を参照して説明する。
図１は、本実施形態のシートベルト着脱装置の概略斜視図であり、図２は、本実施形態のシートベルト着脱装置におけるシートベルト用バックルの図１のＡ−Ａ線の概略断面図、及び同装置におけるタングプレートの概略側面図であり、図３は、本実施形態のシートベルト着脱装置におけるシートベルト用バックルの概略正面図である。
【００１４】
本実施形態のシートベルト着脱装置は、シートベルト用バックル１と、タングプレート２を有しており、シートベルト用バックル１にタングプレート２を係合させることによって、シートベルトが装着される。
シートベルト用バックル１には、プレート挿入部１１、固定解除操作部１２、筐体１３、及びバックル側ベルト１４が備えられている。
【００１５】
プレート挿入部１１は、プレートを略錐体形状に湾曲成形して得られ、錐体の上部及び底部に開口を備えた構成となっている。また、複数のプレートを略錐体形状に溶接することにより、同様の構成を形成してもよい。
プレート挿入部１１の内側面は、錐体の底部側から錐体の上部側にかけて傾斜した凹部１１１を形成している。この凹部１１１は、錐体の底部の開口から挿入されたタングプレートを錐体の上部の開口へ案内する役割を果たす。すなわち、錐体の底部の開口からプレート部２１がプレート挿入部１１に挿入されると、プレート部２１は、凹部１１１の内側面に沿って、錐体の上部の開口へと導かれて、その開口内に挿入される。
【００１６】
プレート挿入部１１の錐体の側面の一部は、シートベルト用バックル１内へ延び、プレート部２１が進入するプレート進入路１５を構成する。
プレート部２１がプレート進入路１５に挿入すると、図示しないプレート固定機構が作動し、プレート部２１が固定される。このプレート固定機構としては、バネの付勢力によりロック用のプレートをプレート部２１の孔に係合させることで、タングプレート２をシートベルト用バックル１に係合する、従来のものなどを用いることができる。
【００１７】
固定解除操作部１２は、プレート進入路１５に対して平行に筐体１３内に押し込むことにより、ロック用のプレートをプレート部２１の孔から引き出して、プレート固定機構のバネを初期位置に戻す。このバネが初期位置に戻る時に、バネによりプレート部２１がプレート挿入部１１から押し出される。
【００１８】
プレート挿入部１１の錐体の側面の一部は、シートベルト用バックル１内でベルト連結用のプレートに連結され、ベルト連結用のプレートにバックル側ベルト１４が取り付けられている。これらのプレート挿入部１１、固定解除操作部１２、プレート固定機構、及びベルト連結用のプレートは、筐体１３内において、図示しない支持部により支持されている。
【００１９】
タングプレート２には、プレート部２１、プレート支持部２２、及びプレート側ベルト２３が備えられている。
プレート部２１は、プレート支持部２２に固定され、プレート支持部２２にプレート側ベルト２３が取り付けられている。
【００２０】
タングプレート２におけるプレート部２１は、シートベルト用バックル２に係合する側の先端に凸形状の先端部２１１を有している。
このように、プレート部２１が先端部２１１を有すると共に、シートベルト用バックル１のプレート挿入部１１が凹部１１１を有し、この凹部１１１がプレート部２１を挿入し易い大きな開口を備えていることによって、本実施形態のシートベルト着脱装置の使用者は、プレート部２１をプレート挿入部１１に簡単に挿入して、シートベルトを装着することが可能になっている。
【００２１】
さらに、本実施形態のシートベルト着脱装置におけるタングプレート２のプレート部２１を、磁石からなるものとすることが好ましい。また、本実施形態のシートベルト着脱装置におけるシートベルト用バックル１のプレート挿入部１１を、磁石が吸着する、鉄などの金属からなるものとすることが好ましい。
本実施形態のシートベルト着脱装置において、磁石の種類は特に限定されないが、磁力の強いものが好ましく、例えば、平面４極のものなどを好適に用いることができる。
本実施形態のシートベルト着脱装置をこのような構成にすれば、使用者は、プレート部２１をプレート挿入部１１の凹部１１１に吸着させて、プレート部２１をプレート挿入部１１内の開口に挿入し、シートベルトを容易に装着することが可能となる。
【００２２】
すなわち、タングプレート２が凸形状の先端部２１１を有すると共に、シートベルト用バックル１のプレート挿入部１１が大きな開口を備える凹部１１１を有し、かつ、プレート部２１を磁石により形成し、プレート挿入部１１を強磁性体の金属を用いて形成することで、使用者はタングプレート２の先端部２１１をシートベルト用バックル１のプレート挿入部１１に近づけることで容易にプレート部２１をプレート挿入部１１に吸着させて、挿入することができる。
このため、本実施形態のシートベルト着脱装置を用いることにより、高齢者や手が不自由な人などであっても、シートベルトを容易に装着することが可能となる。
【００２３】
また、プレート部２１を磁石ではなく、強磁性体の金属からなるものとし、プレート挿入部１１を磁石からなるものとしてもよく、プレート部２１及びプレート挿入部１１の両方の全部又は一部を、磁石からなるものしてもよい。また、シートベルト用バックル１内に磁石を配設する構成としても良い。さらに、プレート挿入部１１の錐体のシートベルト用バックル内に伸びる側面の一部を磁石からなるものとしたり、該側面の一部に磁石を配設することもできる。
【００２４】
プレート挿入部１１を磁石により形成する場合、又は、シートベルト用バックル１内に磁石を配設する場合、筐体１３は、強磁性体などの防磁効果のある金属からなるものとすることが好ましい。
なお、プレート部２１とプレート挿入部１１の両方を、磁石を用いることなく形成することもできる。
【００２５】
次に、本考案の実施形態に係るシートベルト着脱装置の応用例について図面を参照して説明する。図４は、本実施形態のシートベルト着脱装置の応用例のシートベルト用バックルの概略断面図である。
【００２６】
本実施形態のシートベルト着脱装置におけるシートベルト用バックル１は、上記の実施形態に比較して、より大きいサイズのプレート挿入部１１ａを備えており、これを収容可能なように筐体１３ａのプレート挿入部１１ａ側の開口が幅広に形成されている。
【００２７】
本実施形態のシートベルト着脱装置をこのようにすれば、凹部１１１ａの表面積を上述した実施形態に比較してさらに大きくすることができるため、使用者は、プレート部２１をプレート挿入部１１ａに、より簡単に挿入することが可能となる。
【００２８】
次に、本考案の実施形態に係るシートベルト着脱装置の他の応用例について図面を参照して説明する。図５は、本実施形態のシートベルト着脱装置の他の応用例のタングプレートの概略斜視図である。
【００２９】
本実施形態のシートベルト着脱装置におけるタングプレート２は、上記の実施形態の構成に加えて、プレート部２１を覆う防磁カバー２４を備えている。
防磁カバー２４は、プレート部２１からの磁力を大きく低減可能な材料からなるものであれば、特に限定されないが、例えば、強磁性体の金属からなるものを用いることができる。
【００３０】
本実施形態のシートベルト着脱装置をこのようにすれば、タングプレート２のプレート部２１を磁石からなるものとした場合に、プレート部２１の磁力が、携帯電話やスマートフォンなどの電気製品に悪影響を与えることを防止することが可能となる。
【００３１】
以上、本考案のシートベルト着脱装置について、実施形態及びその応用例を示して説明したが、本考案に係るシートベルト着脱装置は、これらに限定されるものではなく、本考案の範囲内において、種々の変更実施が可能であることは言うまでもない。
例えば、シートベルト用バックルにおけるプレート挿入部を円錐台形状にしたり、タングプレートにおけるプレート部をより細長い形状にしたりするなど適宜変更することが可能である。
また、本考案のシートベルト着脱装置は、自動車、航空機、アトラクションの乗り物など、人や物を各種の移動体等に固定する場合に広く適用することが可能である。
【産業上の利用可能性】
【００３２】
本考案は、自動車や航空機、アトラクションの乗り物等のシートベルト着脱装置として好適に利用することが可能である。
【符号の説明】
【００３３】
１  シートベルト用バックル
１１  プレート挿入口
１１１  凹部
１２  固定解除操作部
１３  筐体
１４  バックル側ベルト
１５  プレート進入路
２  タングプレート
２１  プレート部
２１１  先端部
２２  プレート支持部
２３  プレート側ベルト
２４  防磁カバー
【図１】
0003217465.tif 000003
【図２】
0003217465.tif 000004
【図３】
0003217465.tif 000005
【図４】
0003217465.tif 000006
【図５】
0003217465.tif 000007